(57)【要約】【課題】  操作部（ラッチ）の摺動性を改善した電池パックを提供する。【解決手段】  電池セルを収容するハウジング１１と、ハウジング１１に設けられる操作部３１と、操作部３１に設けられ機器本体側１の受部３３と係合する係合部３０と、操作部３１をハウジング１１の外周方向に付勢する弾性体３２とを有し、複数の端子を備えた機器本体に着脱自在に装着されて機器本体に給電可能な電池パック１０において、前記操作部が前記ハウジングから抜けるのを防止する抜け止め部材を軟質材で構成した。【選択図】  図５
2014038718.tif 000002
【特許請求の範囲】
【請求項１】
電池セルを収容するハウジングと、
前記ハウジングに設けられる操作部と、
前記操作部に設けられ機器本体側の受部と係合する係合部と、
前記操作部を前記ハウジングの外周方向に付勢する弾性体と、を有する電池パックにおいて、
前記操作部が前記ハウジングから抜けるのを防止する抜け止め部材を軟質材で構成したことを特徴とする電池パック。
【請求項２】
前記操作部を操作した際に、前記軟質材の一端部が前記操作部に接触することを特徴とする請求項１に記載の電池パック。
【請求項３】
前記一端部は、湾曲部を有することを特徴とする請求項２に記載の電池パック。
【発明の詳細な説明】
【技術分野】
【０００１】
本発明は、電動工具及び電気機器に使用する電池パックに関するものである。
【背景技術】
【０００２】
従来から作業性を良くするために、電池パックを動力として動く電動工具がある。この電池パックは、開口部が形成されたハウジングを有し、ハウジング内には、セル群、基板、及び電池パックを工具側に取り外し可能に係合／非係合を開閉動作するラッチが設けられている。ラッチ（操作部）は弾性体の付勢に抗して内側方向にスライドできるようになっており、ラッチのスライドに連動して係合部が工具側の受部と係合／非係合となるような構成となっている。
【先行技術文献】
【特許文献】
【０００３】
【特許文献１】特開２００８−６６１４１
【発明の概要】
【発明が解決しようとする課題】
【０００４】
図６と図７に示すように、従来の電池パックは、操作部であるラッチの工具本体方向へのがたつきを防止するためワッシャで押圧している構成である。しかし、作業者がラッチを操作するとラッチの摺動面とワッシャの角が引かかることにより、ラッチが動作しにくくなり作業性の低下を招いてしまう。さらに、作業時に発生するコンクリート等の粉じんがラッチとワッシャの間に詰まってしまい、ラッチが動作しない課題があった。
【０００５】
そこで、本発明は、操作部（ラッチ）の摺動性を改善した電池パックを提供することを目的とする。
【課題を解決するための手段】
【０００６】
上記目的を達成するために、本発明は、電池セルを収容するハウジングと、前記ハウジングに設けられる操作部と、前記操作部に設けられ機器本体側の受部と係合する係合部と、前記操作部を前記ハウジングの外周方向に付勢する弾性体とを有する電池パックにおいて、前記操作部が前記ハウジングから抜けるのを防止する抜け止め部材を軟質材で構成した電池パックを提供する。
また、本発明は、前記操作部を操作した際に、前記軟質材の一端部が前記操作部に接触する電池パックを提供する。
さらに、前記一端部は、湾曲部を有する電池パックを提供する。
【発明の効果】
【０００７】
請求項１〜３に記載の電池パックによれば、作業者が操作部を操作することで、操作部と軟質材とが接触し、接触力によって軟質材とハウジングとの端面に空間ができ、空間内に詰まった粉じんを効率的に外部に排出することができると共に、工具本体方向への操作部のがたつきを防止することができる。
【図面の簡単な説明】
【０００８】
【図１】本発明の電池パックを挿入した工具を示す正面図。
【図２】本発明の電池パックを示す斜視図。
【図３】本発明の電池パックを示す内部正面図。
【図４】本発明のプレートの主要部分を示す断面図。
【図５】本発明のプレート部材を示す主要拡大図。
【図６】従来の電池パックを示す内部正面図。
【図７】従来の電池パックの主要部分を示す断面図。
【発明を実施するための形態】
【０００９】
本発明の実施の形態による電池パック及び電池パックを備える電動工具について図１及び図２に基づき説明する。以下の説明において、図１に図示される方向を前後方向とする。図１に示すように、電動工具であるドリル１は、本体部２と、ハンドル３と、電池パック１０とを主に備えて構成されている。  
本体部２は、図示せぬモータを内蔵しており、先端部分に出力部であってドリルビットを装着可能な工具保持部２Ａが設けられている。ハンドル３は本体部２の後端部分から延出されており、その延出部分の基端部分には、トリガ３Ａが設けられている。トリガ３Ａは、電池パック１０から図示せぬモータに供給される電気を制御する。また、図２に示すように、ハンドル３の延出方向端部には、後述の複数の第２端子１４と嵌合する板状の複数の第１端子３Ｂが設けられている。  
電池パック１０は、ハンドル３の延出方向先端部分にドリル１の前後方向に沿って着脱可能に設けられている。電池パック１０について、図３に基づき詳細に説明する。電池パック１０は、ハウジング１１と、セル群１２と、基板１３と、複数の第２端子１４と、カバー１５とを備えている。ハウジング１１は、上側ハウジング１６と下側ハウジング１７とを備え、セル群１２、基板１３、複数の第２端子１４、及びカバー１５を収容している。上側ハウジング１６は、端子挿入部１６Ａと、開口規定部１６Ｂとを主に備えている。端子挿入部１６Ａと開口規定部１６Ｂとにより、略長方形状の開口部１６ｃが規定されている。開口部１６ｃは、電池パック１０を図示せぬ充電器に連結して充電を行う際に、図示せぬ充電器の端子を保護する板状の保護部材を挿入する挿入部として機能する。また、端子挿入部１６Ａには、後方に向かって開口する複数のスロット１６ｄが形成されている。      
【００１０】
図２に示すように、セル群１２は、複数のセルを備え、各セルは、ニッケル水素電池又はリチウムイオン電池等からなり、複数回充放電可能な電池である。基板１３は、セル群１２上に設けられ、セル群１２と電気的に接続されている。基板１３には、開口部１６ｃの長手方向に沿って延びる端子配置部１３Ａが規定されている。また、基板１３の後方側の端縁１３Ｂは、上側ハウジング１６の開口規定部１６Ｂの前方側の端縁１６Ｅ（図３）に対向するように配置されている。  
複数の第２端子１４は、基板１３の端子配置部１３Ａに、開口部１６ｃの長手方向に沿って、並ぶように配置され、基板１３と電気的に接続されている。複数の第２端子１４は、電池パック１０が一体に組まれた状態で、それぞれスロット１６ｄ内に位置する。複数の第２端子１４は、それぞれ平板をＵ字形状に曲げ、開口端部を塞ぐように平板の端部付近を接触させた形状をなしている。そして、電池パック１０がハンドル３の先端に取り付けられるときは、第１端子３Ｂは、後方側からスロット１６ｄに挿入され、第２端子１４にその開口端部を押し広げるように嵌合圧入されて、第１端子３Ｂと第２端子１４とは嵌合する。
つぎに、電池パックのラッチ部分について説明する。図３は、操作部（ラッチ）３１が、上側ハウジング１６の短手方向と平行にスライド摺動する構成を示しており、下側ハウジング１７のケース内の上面に収容されたラッチ３１が弾性体３２によってハウジング１１の外側方向に付勢されている。ラッチが図４の紙面と垂直上方向に動くことを防ぐため、締付ネジ３４によって、紙面と垂直下方向に保持している。さらに、ハウジング１１にはラッチ３１をガイドするリブ状の溝３５が形成され、溝３５に沿ってラッチ３１が移動することによって、ラッチに形成されたフック状の係合部３０が連動して摺動し、工具本体１側に設けられた受部３３と係合することで電池パック１０と工具本体1とを固定する。
つぎに本発明の主要部分について図４と図５に基づいて説明する。図４は、図３の破線の断面をＸ方向から見た図であり、本発明の軟質材で構成された抜け止め部材であるプレート４１は受部４１Ａ、突出部４１Ｂ、上部４１Ｃ、貫通部４１Ｄ、湾曲部４１Ｅ、端部４１Ｆを有している。さらに、プレート４１は剛性の低いプラスチックやナイロン製の素材で作られている。受部４１Ａは後述する操作部３１の操作による紙面左方向からの力をハウジング１７との間で受けている。突出部４１Ｂは、ハウジング１７の外周方向に突出しており作業者が操作部３１を操作するときに、操作部３１の端面と接触する構成になっており、操作部３１と接触した状態では接触力によりプレート部材はたわむ状態となる。上部４１Ｃは、締付ネジ３４のネジ部分より盛り上がった構成で設計されており、操作部の接触力により紙面の上下方向にたわむように作られている。貫通部４１Ｄは締付ネジ３４の頭部とハウジング１７（１１）との間でプレート４１を貫通し、支持する役割を果たしている。湾曲部４１Ｅは、突出部の下側にＲ形状の曲面で形成され、操作部３１からの力を効率的に受けることができる構成となっている。端部４１Ｆは操作部３１と締付ネジ３４に対して反対側に形成され、係合部３０のハウジング１７（１１）の長手方向の端面と一致するように収容されている。下部４１Ｇは、粉じん５３との接触面であり、操作部３１を覆う状態で形成されている。
このような構成にすることによって、作業者が操作部３１を操作することで、操作部３１とプレート４１（突出部４１Ｂ）とが接触し、接触力によってプレート４１とハウジング１７（１１）との端面に空間ができ、空間内に詰まった粉じん５３を効率的に外部に排出することができると共に、操作部３１が図４のＹ方向にがたつくことを防止することができる。
さらに、ハウジング１７（１１）側にもハウジング湾曲部１７Ｅを設けて、湾曲部４１Ｅと沿うように形成してもよい。
なお、上述の実施形態では、操作部３１が係合部３０と一体に形成されているが、係合部３０と連動するものであれば必ずしも一体に形成されている必要はない。  
また、上述した実施例は、弾性体３２として圧縮バネを設けた場合の例であるが、弾性体３２はバネのほか、ゴム等であってもよい。
また、本発明では操作部３１がスライド式タイプの電池パック１０のみを記載したが、操作部３１が回動式タイプの電池パックに採用してもよい。
尚、本発明の電池パック及び電池パックを備えた電動工具は、上述した実施の形態に限定されず、特許請求の範囲に記載した範囲で種々の変形や改良が可能である。
【符号の説明】
【００１１】
１・・工具本体、ハウジング・・１１、係合部・・３０、操作部・・３１、受部・・３３、プレート・・４１、受部・・４１Ａ、突出部・・４１Ｂ、上部・・４１Ｃ、貫通部・・４１Ｄ、湾曲部・・４１Ｅ、端部・・４１Ｆ、下部・・４１Ｇ、４２・・ワッシャ
【図１】
2014038718.tif 000003
【図２】
2014038718.tif 000004
【図３】
2014038718.tif 000005
【図４】
2014038718.tif 000006
【図５】
2014038718.tif 000007
【図６】
2014038718.tif 000008
【図７】
2014038718.tif 000009